(57)【要約】      （修正有）【課題】手荷物引取所等に例えばキャリーバッグ・カバン等の多くの手荷物が密集して置いてあっても、自分のものと他人のものとの判別が容易な手荷物用転倒識別具を提供する。【解決手段】受信器１を内蔵して手荷物に取り付ける点灯識別具本体Ｐと、受信器１に点灯制御信号を送る送信器Ｑとを備える。点灯識別具本体Ｐは、内蔵した光源３により面発光する点灯パネル５と、送信器Ｑからの点灯制御信号を受信器１で受信した際に、この点灯制御信号に基づいて光源３を点灯・点滅・消灯可能にする制御部６とを有する。点灯パネル５は、内蔵した複数色の光源３に対応して区画配置した複数の導光板５ａ，５ｂ，５ｃ，・・・によって構成し、制御部６は、送信器Ｑからの点灯制御信号に基づき各導光板５ａ，５ｂ，５ｃ，・・・をそれぞれの光源３によって各種の点灯パターンで面発光可能にする。点灯識別具本体Ｐは縛着具９を介して手荷物に取り付ける等とする。【選択図】図１
0003167823.tif 000002
【実用新案登録請求の範囲】
【請求項１】
受信器を内蔵して手荷物に取り付けられる点灯識別具本体と、受信器に点灯制御信号を送る送信器とを備え、点灯識別具本体は、自体に内蔵された光源と、光源により面発光させる点灯パネルと、送信器からの点灯制御信号を受信器で受信した際に、この受信した点灯制御信号に基づいて光源を点灯・点滅・消灯作動させる制御部とを有して成ることを特徴とする手荷物用点灯識別具。
【請求項２】
点灯パネルは、自体に内蔵された複数の色の光源に対応して区画配置された複数の導光板によって構成され、前記制御部は、送信器からの点灯制御信号に基づき各導光板をそれぞれの光源によって各種の点灯パターンで面発光させるものとする請求項１記載の手荷物用点灯識別具。
【請求項３】
点灯識別具本体は、縛着具を介して手荷物に取り付けられるよう、ロック機構を備えたタグに設けられて成る請求項１または２記載の手荷物用点灯識別具。
【請求項４】
点灯識別具本体は、手荷物に巻回装着されるようベルト通し部によってベルト設けられて成る請求項１または２記載の手荷物用点灯識別具。
【請求項５】
点灯識別具本体は、施錠具に点灯パネルを露出させた状態で設けられて成る請求項１または２記載の手荷物用点灯識別具。
【請求項６】
受信器を内蔵して手荷物に取り付けられる点灯識別具本体と、受信器に点灯制御信号を送る送信器とを備え、点灯識別具本体は、自体に内蔵された光源と、光源により面発光させる点灯パネルと、送信器からの点灯制御信号を受信器で受信した際に、この受信した点灯制御信号に基づいて光源を点灯・点滅・消灯作動させる制御部とを有し、点灯パネルは、自体に内蔵された複数の色の光源に対応して区画配置された複数の導光板によって構成され、前記制御部は、送信器からの点灯制御信号に基づき各導光板をそれぞれの光源によって各種の点灯パターンで面発光させると共に、点灯識別具本体は、縛着具を介して手荷物に取り付けられるロック機構付きタグに設けられるか、手荷物に巻回装着されるベルトに設けられるか、施錠具に点灯パネルを露出させた状態で設けられるかのいずれかによって形成されて成ることを特徴とする手荷物用点灯識別具。
【考案の詳細な説明】
【技術分野】
【０００１】
本考案は、例えば空港の手荷物引取所等に例えばキャリーバッグ・カバン等の手荷物が密集して置かれているときに、自分の手荷物が何処にあるかを当該手荷物から光を発生させることによりその存在を認識可能とし、また他人の手荷物と区別し易すいようにする手荷物用点灯識別具に関するものである。
【背景技術】
【０００２】
従来、例えば空港の手荷物引取所や保管所等においてキャリーバッグ・カバン等の多くの手荷物が密集してベルトコンベア等で搬送されてくる場合、その中に自分の手荷物が在るのか、またはそのうちのどれが自分の手荷物であるかを視認し難いため、その存在区別を判断しづらかった。そこで自分のものと他人のものとを判別するために、自分の名前や認識番号等が記載されている名札等を手荷物に取り付けている。しかし、このような名札等では近くでないと判りにくいため、遠くからでも判別できるようにするのに、自分用にそれが判る識別用ベルトを手荷物に巻回装着しておくこともあった。
【先行技術文献】
【特許文献】
【０００３】
【特許文献１】特に無し
【考案の概要】
【考案が解決しようとする課題】
【０００４】
しかしながら、従来のような識別用ベルトを手荷物の判別手段として利用していても、他者所有の手荷物にも自分と同じような識別用ベルトが取り付けられている場合には、どちらの手荷物が自分のものであるかが判りにくい。しかも、多くの手荷物が密集していると、盗難されやすくもあり、その盗難を見過ごしてしまうと盗難された手荷物を発見するのは極めて困難である。
【０００５】
そこで、本考案は叙上のような従来存した諸事情に鑑み創案されたもので、例えば手荷物引取所等に個々人の所有する例えばキャリーバッグ・カバン等の多くの手荷物が密集して置かれていても、自分のものと他人のものとの判別が容易となり、また盗難にあっても直ぐにでもあれば点灯させることでそれが判るようにすることで自身の手荷物さらには盗難者を見つけることができ、使用しないときはお洒落なアクセサリとしても利用可能となる手荷物用点灯識別具を提供することを目的とする。
【課題を解決するための手段】
【０００６】
上述した課題を解決するために、本考案にあっては、受信器１を内蔵して手荷物Ｋに取り付けられる点灯識別具本体Ｐと、受信器１に点灯制御信号を送る送信器Ｑとを備え、点灯識別具本体Ｐは、自体に内蔵された光源３と、光源３により面発光させる点灯パネル５と、送信器Ｑからの点灯制御信号を受信器１で受信した際に、この受信した点灯制御信号に基づいて光源３を点灯・点滅・消灯作動させる制御部６とを有して成るものである。
点灯パネル５は、自体に内蔵された複数の色の光源３に対応して区画配置された複数の導光板５ａ，５ｂ，５ｃ，・・・によって構成され、前記制御部６は、送信器Ｑからの点灯制御信号に基づき各導光板５ａ，５ｂ，５ｃ，・・・をそれぞれの光源３によって各種の点灯パターンで面発光させるものとすることができる。
点灯識別具本体Ｐは、縛着具９を介して手荷物Ｋに取り付けられるよう、ロック機構８を備えたタグに設けられることで、タグタイプに形成されて成るものとすることができる。
点灯識別具本体Ｐは、手荷物Ｋに巻回装着されるようベルト通し部７ａ，７ｂによってベルト１６に設けられることで、ベルトタイプに形成されて成るものとすることができる。
点灯識別具本体Ｐは、施錠具１１に点灯パネル５を露出させた状態で例えば埋め込まれて設けられることで、施錠具タイプに形成されて成るものとすることができる。
【０００７】
以上のように構成された本考案に係る手荷物用点灯識別具にあって、送信器Ｑからの点灯制御信号を点灯識別具本体Ｐの受信器１に受信させ、この受信した点灯制御信号に基づいて制御部６は、光源３を点灯・点滅・消灯作動させ、点灯パネル５を面発光または面消光させる。
制御部６は、送信器Ｑからの点灯制御信号に基づき各導光板５ａ，５ｂ，５ｃ，・・・をそれぞれの光源３によって各種の点灯パターンで面発光させる。
タグタイプに形成された点灯識別具本体Ｐは、手荷物Ｋへの取り付け取り外しを容易にさせ、またロック機構８によって第三者・他人による不意の取り外しを防止させ、盗難防止、安全性を確保する。
ベルトタイプに形成された点灯識別具本体Ｐは、手荷物Ｋの周囲にベルト１６によって巻回することで手荷物Ｋに確実に装着され、点灯パネル５による発光を可能にさせ、またベルト通し部７ａ，７ｂによって各種のベルト１６に取付けさせる。
施錠具タイプに形成され点灯識別具本体Ｐは、自体を堅固な施錠具１１によって保護させると同時に、手荷物Ｋに対する施錠後における他人による取り外しを防止させる。
【考案の効果】
【０００８】
本考案によれば、例えば空港の手荷物引取所等に個々人の所有する例えばキャリーバッグ・カバン等の多くの手荷物Ｋが密集して置かれていても、自分のものと他人のものとの判別を容易にさせ、また盗難にあっても直ぐにでもあれば点灯させることでそれが判るようにすることで自身の手荷物Ｋさらには盗難者を見つけることができ、使用しないときはお洒落なアクセサリとしても利用可能となる。特に夜間においては、密集した手荷物Ｋの中から自分のものを容易に見つけることができる。
【０００９】
すなわち、これは本考案が、受信器１を内蔵して手荷物Ｋに取り付けられる点灯識別具本体Ｐと、受信器１に点灯制御信号を送る送信器Ｑとを備え、点灯識別具本体Ｐは、自体に内蔵された光源３と、光源３により面発光させる点灯パネル５と、送信器Ｑからの点灯制御信号を受信器１で受信した際に、この受信した点灯制御信号に基づいて光源３を点灯・点滅・消灯作動させる制御部６とを有して成るからであり、これにより、送信器Ｑの操作によって、手荷物Ｋに取り付けられた点灯識別具本体Ｐの点灯パネル５を面発光させ、自分の手荷物Ｋと他人の手荷物Ｋとの判別を容易にする。また、盗難にあっても直ぐにでもあれば点灯パネル５を面発光させることで自身の手荷物Ｋさらには盗難者を容易に見つけることができ、また点灯させて目立たせることでも盗難防止にも役立つ。さらに、点灯識別具本体Ｐを使用しないときは、このまま自分の手荷物Ｋに取り付けておけば、お洒落なアクセサリとしても利用できる。
【００１０】
点灯パネル５は、自体に内蔵された複数の色の光源３に対応して区画配置された複数の導光板５ａ，５ｂ，５ｃ，・・・によって構成され、前記制御部６は、送信器Ｑからの点灯制御信号に基づき各導光板５ａ，５ｂ，５ｃ，・・・をそれぞれの光源３によって各種の点灯パターンで面発光させるので、自分の手荷物Ｋと他人の手荷物Ｋとの判別をさらに確実なものにする。
【００１１】
すなわち、複数人のそれぞれが所持する手荷物Ｋが同種である場合でも、点灯パネル５の点灯パターンを変えることで、他人所持の手荷物Ｋと識別させて自分の手荷物Ｋが何処に存在するかが一目瞭然となる。例えば、各導光板５ａ，５ｂ，５ｃ，・・・毎に異なる色の光を個々人に対応した点灯パターンで発光させることができるように個々人の送信器Ｑが互いに異なる点灯制御信号を発信できるように構成しておく。これによって個々人に対応して点灯パターンが異なるから、自分の手荷物Ｋが何処に存在するかが確実に判別できる。
【００１２】
点灯識別具本体Ｐは、縛着具９を介して手荷物Ｋに取り付けられるようタグに設けられてタグタイプに形成されて成るので、手荷物Ｋに対する点灯識別具本体Ｐの脱着が容易であり、ロック機構８によってロックしておくことで、他人による取り外しを困難にし、個々人の手荷物Ｋの安全性が容易に保たれる。
【００１３】
点灯識別具本体Ｐは、手荷物Ｋに巻回装着されるようベルト１６に設けられて、ベルトタイプに形成されて成るので、ベルト１６によって手荷物Ｋの周囲に巻回装着でき、また点灯パネル５による点灯面積を大きくすることもでき、視認性を確実なものとすることができる。更に、ベルト通し部７ａ，７ｂによって各種のベルト１６それぞれに取付けることができ、汎用性にも優れる。
【００１４】
点灯識別具本体Ｐは、施錠具１１に点灯パネル５を露出させた状態で設けられて、施錠具タイプに形成されて成るので、点灯識別具本体Ｐは堅固な施錠具１１によって保護することができ、また施錠後においては点灯識別具本体Ｐと一体となった施錠具１１の他人による取り外しを防止でき、自分の手荷物Ｋの安全性が容易に保たれる。
【００１５】
尚、上記の課題を解決するための手段、考案の効果の項それぞれにおいて付記した符号は、図面中に記載した構成各部を示す部分との参照を容易にするために付したもので、図面中の符号によって示された構造・形状に本考案が限定されるものではない。
【図面の簡単な説明】
【００１６】
【図１】本考案の実施の形態において、タグに設けられたタグタイプの点灯識別具本体の一例を示し、（ａ）は平面図、（ｂ）は（ａ）のＸ−Ｘ断面図、（ｃ）は点灯識別具本体を作動させるための送信器の斜視図である。
【図２】同じくタグタイプの点灯識別具本体をソフトタイプのキャリーバッグに取り付けた状態の斜視図である。
【図３】ベルトに設けられたベルトタイプの点灯識別具本体の一例を示すもので、（ａ）は平面図、（ｂ）は（ａ）の一部を省略したＹ−Ｙ断面図、（ｃ）は点灯識別具本体を作動さるための送信器の概略図である。
【図４】同じくベルトタイプの点灯識別具本体をハードタイプのキャリーバッグに取り付けた状態の斜視図である。
【図５】施錠具に設けた施錠具タイプの点灯識別具本体の一例を示す施錠具解錠状態の正面図である。
【考案を実施するための形態】
【００１７】
以下、図面を参照して本考案の実施の形態を詳細に説明すると、図において示される符号Ｐは、本考案に係る手荷物用点灯識別具を構成する点灯識別具本体である。図示例にあっての点灯識別具本体Ｐは、例えばＲＦ無線スイッチ・遠赤外線センサスイッチ・超音波センサスイッチ等の例えばボタン式リモコン等による携帯式の送信器Ｑから発信される点灯制御信号によって遠隔操作で制御されるものである。
【００１８】
点灯識別具本体Ｐは、図１および図２に示すように、例えば名刺サイズのプラスチック製等のケーシングを備えたタグに設けられることで、例えばソフトタイプのキャリーバッグ等のキャスタ付の手荷物Ｋに取り付けられるタグタイプとして構成してある。すなわち、点灯識別具本体Ｐの一端側面には、略Ｕ字状のプラスチック紐・ゴム紐・ワイヤ等の縛着具９の一端が固着されていて、他端はダイヤル錠の如きロック機構８によって固定あるいは取り外しできるようになっている。例えばロック機構８は、複数の解錠用ナンバーリングによって構成され、ロック機構８を解錠させる場合には、各解錠用ナンバーリングのそれぞれを個人が認識している番号順に合わせることで解錠され、これによって縛着具９の他端が解放されるものとなっている。そして、この縛着具９の他端側を手荷物Ｋである例えばキャリーバッグ上側の伸縮可能な取っ手や、開放させるチャック等に架け通してから他端をタグ本体に接続し、ロック機構８によってロック施錠することで、タグタイプの点灯識別具本体Ｐが手荷物Ｋに取り付けられる。
【００１９】
点灯識別具本体Ｐには、自体の内部に送信器Ｑからの点灯制御信号を受ける受信器１と、当該受信器１に接続された光源３実装用の例えばポリ塩化ビフェニル（ＰＣＢ）製等のフレキシブル基板２と、例えば単三または単四等の乾電池やリチウム電池等の電源収容部４とがそれぞれ装備されている。
【００２０】
光源３としては、例えば赤色・緑色・黄色・青色等の各種色を発光させる例えば２４ｐｃｓのＬＥＤ（発光ダイオード）等を使用している。また、光源３を面発光させるための例えば三角形の複数の導光板５ａ，５ｂ，５ｃ，・・・を市松模様の如く三角形辺同士が隙間のないように区画配列させて成る点灯パネル５がフレキシブル基板２に対応するケーシング面の略全域に設けられている。またレキシブル基板２上の各光源３は、これら導光板５ａ，５ｂ，５ｃ，・・・のそれぞれの位置に対応して個別に配設されている。尚、導光板５ａ，５ｂ，５ｃ，・・・の形状、配列等は図示例に限定されないことは勿論であり、円形・矩形その他の多角形としたり、放射状・多重円状等の配列としたり、幾何学模様・具象物模様としたり等、いずれも任意である。
【００２１】
受信器１は制御部６を備えており、送信器Ｑからの点灯制御信号を受信器１で受信した際に、この受信した点灯制御信号に基づいて制御部６が作動し、それぞれの光源３の点灯・点滅・消灯等によって導光板５ａ，５ｂ，５ｃ，・・・を各種の点灯パターンで面発光させるものとしてある。すなわち、これら導光板５ａ，５ｂ，５ｃ，・・・毎に異なる色の光源３を各種の変動パターンで点灯できるようになっている。
【００２２】
例えば、制御部６により各導光板５ａ，５ｂ，５ｃ，・・・毎に異なる色の光を個々人に対応した点灯パターンで発光できるように、個々人の送信器Ｑは互いに異なる点灯制御信号を発信できるように、予じめ制御設定しておくことが望ましい。これは、同種の手荷物Ｋを複数人が所持し、それぞれに点灯識別具本体Ｐを取り付けているとき、これらの点灯パターンが同じであると自分のものと他人のものとが混乱して識別できなくなるからであり、このように点灯パターンを個々人に対応して互いに異ならしめることでこのような混乱が生じるのを防止している。
【００２３】
前記送信器Ｑは、例えば点灯・点滅用の第１スイッチボタンＳ１と、消灯用の第２スイッチボタンＳ２とが配設されている。この第１スイッチボタンＳ１は、ワンプッシュで光源３を点灯させ、ツープッシュで光源３を点滅させる。また、第２スイッチボタンＳ２は、第１スイッチボタンＳ１を操作して光源３を、点灯・点滅した後に当該第２スイッチボタンＳ２をワンプッシュすることで光源３を消灯させるものとなっている。
【００２４】
また点灯パターンを任意に選択できるパターン変更用の第３スイッチボタンＳ３を設けている。例えば、１回目のボタン操作で赤色の光源３が点灯・消滅、２回目のボタン操作で緑色の光源３が点灯・点滅、３回目のボタン操作で黄色の光源３が点灯・点滅、４回目のボタン操作で青色の光源３が点灯・点滅、５回目のボタン操作で全ての色の光源３が点灯・点滅、６回目のボタン操作で各色の光源３が交互に且つランダムに点滅等、前記制御部６によってこれらの動作が制御されるものとしてある。これは、同種の手荷物Ｋを複数人がそれぞれで所持しているとき、万が一、点灯パターンが同じであった場合でも、自分の送信器Ｑによる点灯パターンの点灯制御信号を変更させることで自分のものと他人のものとが識別不能となる混乱を回避するためである。
【００２５】
尚、送信器Ｑのスイッチボタンを１つにして光源３の点灯・点滅・消灯および点灯パターン変更等を自在に操作できるようにしてもよい。この場合、例えば１回目のボタン操作で点灯、２回目のボタン操作で点滅、３回目のボタン操作で消灯する動作が繰り返し行えるようにする。さらには、点灯用・点滅用・消灯・点灯パターン変更用等の複数のスイッチボタンを設けてもよい。
【００２６】
次に、以上のように構成された形態についての使用の一例について説明すると、図２に示すように、縛着具９をロック機構８の解錠によって他端側を取り外し、例えばソフトタイプのキャリーバッグ等の手荷物Ｋに点灯識別具本体Ｐを取り付け、ロック機構８のロック操作で施錠させておけばよい。
【００２７】
例えばキャリーバッグ等の多数の手荷物Ｋが置かれている手荷物引取所から自分のものを探し出す場合には、送信器Ｑの第１スイッチボタンＳ１を操作して、点灯識別具本体Ｐの光源３を点灯・点滅させる。このような点灯・点滅によって自分の手荷物Ｋが何処に存在するかが一目瞭然となる。また盗難にあっても直ぐに送信器Ｑの第１スイッチボタンＳ１を操作して光源３を点灯・点滅させれば、盗難者が持ち運ぼうとしている自分の手荷物Ｋを容易に見つけられる。
【００２８】
また、同種の手荷物Ｋがそれぞれ点灯識別具本体Ｐを取り付けた状態で置かれている場合には、点灯パターンが同じであると自分のものと他人のものとが混乱する。この場合には、送信器Ｑの第３スイッチボタンＳ３によって発信される点灯制御信号による点灯パネル５の点灯パターンを適宜変更する。これによって点灯パターンが変更された時点でそれに対応する手荷物Ｋが自分のものであることが判別される。
【００２９】
自分の手荷物Ｋを持ち出した後には、送信器Ｑの第２スイッチボタンＳ２を押して光源３を消灯する。尚、点灯識別具本体Ｐを使用しないときは、このまま手荷物Ｋに取り付けておくことでお洒落なアクセサリーとしても利用される。
【００３０】
図３および図４には、ベルト１６に設けることでベルトタイプとした点灯識別具本体Ｐを、手荷物Ｋとして例えばハードタイプのキャリーバッグ等に取り付ける場合の例が示されている。この場合、手荷物Ｋの表面が硬質であるために、点灯識別具本体Ｐを帯状に形成し、これを手荷物Ｋの周囲に巻回装着するベルト１６によってキャリーバッグである手荷物Ｋに取り付けできようにしてある。
【００３１】
すなわち、図３に示すように、点灯識別具本体Ｐは、長尺薄板状のケーシングによって形成され、このケーシングの中間の長さで例えば約１６０ｍｍ程度の範囲内には、これと同じ略大きさのフレキシブル基板２が内装され、ケーシングの片面の略全面には上記したと同様な構成による点灯パネル５を設けている。そして、点灯パネル５に隣接するケーシングの長手方向一側には受信器１が内装され、長手方向他側には電源収容部４が内装されている。
【００３２】
点灯識別具本体Ｐの背面における左右対称位置には略コ字枠状に突出形成したベルト通し部７ａ，７ｂが付設され、これらベルト通し部７ａ，７ｂにループ状のベルト１６が挿通されることで、ベルト１６に付設されるようにしてある。このベルト１６の一箇所は例えば長短調整を可能として固定する尾錠１０によって解放可能となっており、図４に示すように、ベルト１６を手荷物Ｋの周囲に巻き込んでから手荷物Ｋの大きさに対応して適宜長さに調整して尾錠１０で固定されるようにしてある。また、ベルト１１における尾錠１０にロック機構を、あるいは尾錠の外にロック機構を備えたバックルを設けても良く、要はベルト自体が長短の調整で手荷物Ｋの大小に対応し、ロック施錠等が可能となっているのが良いのである。
【００３３】
尚、上記したベルトタイプの点灯識別具本体Ｐは尾錠１０付きのベルト１６を介して手荷物Ｋに巻回装着されるものとしているが、これに限らず、点灯識別具本体Ｐ全体が手荷物Ｋに巻回装着可能となるよう当該点灯識別具本体Ｐ自体をエンドレスベルトあるいは長短調整部を備えたベルトに形成してもよい。
【００３４】
図５には、施錠具（バックル）１１に設けることで施錠具タイプとした点灯識別具本体Ｐの一例が示されている。すなわち、施錠具１１として、例えばベルト１６の一端に取り付けられたインサート部材１２と、ベルト１６の他端に取り付けられたバックル本体１３とを備えた施錠具１１を構成し、これに上記構成によるもチップ状に形成された点灯識別具本体Ｐを一体化させている。
【００３５】
すなわち、バックル本体１３の外面側に略矩形状の保持枠部１８を設け、この保持枠部１８内にチップ状の点灯識別具本体Ｐが自体の点灯パネル５の面を表向き露出させた状態で嵌合埋設されている。
【００３６】
また、バックル本体１３には複数の解錠用ナンバーリングによって構成されたダイヤル式のロック機構１７が装備されており、ロック機構１７を解錠させなければバックル本体１３からインサート部材１２を引き出せないようになっている。
【００３７】
インサート部材１２には左右一対の弾性舌片１４ａ，１４ｂが突設され、バックル本体１３の先端に形成された差込孔１３ａにインサート部材１２の両弾性舌片１４ａ，１４ｂが互いに内側に圧縮されて挿入される。そして両弾性舌片１４ａ，１４ｂがバックル本体１３の両サイドに開口状となって形成されている係止部１５ａ，１５ｂに届くと両弾性舌片１４ａ，１４ｂは、自体の弾性復元力で拡開して当該係止部１５ａ，１５ｂに係架され固定されるようになっている。バックル本体１３からインサート部材１２を引き出す際には、係止部１５ａ，１５ｂに係架されている両弾性舌片１４ａ，１４ｂを手指でもって互いに内側に圧縮させることで引き出されるものとなっている。
【００３８】
このように、点灯識別具本体Ｐは堅固な施錠具１１によって保護された状態でベルト１６によって手荷物Ｋに取り付けることができ、他人の手荷物Ｋとの区別がはっきりし、所持者を明示できるほか、個性的なものとすることが可能である。
【００３９】
尚、上記した施錠具タイプの点灯識別具本体Ｐとして、ロック機構１７付きのバックルによる施錠具１１を例にして説明しているが、これは本考案の一例にすぎず、その他の施錠具として、例えばキー挿入型シリンダー錠、カード挿入型電子錠、その他各種のロック機構付きのバックルを利用してもよい。
【００４０】
以上説明した実施の形態にあっては、本考案に係る点灯識別具本体Ｐを、タグタイプ、ベルトタイプ、施錠具タイプ等の３つのタイプとして形成された場合として説明したが、これに限らず、例えば手荷物Ｋの表面や取っ手等その他の適宜箇所に上記構成による点灯識別具本体Ｐを配することで手荷物Ｋと一体となして設けられていてもよい。
【符号の説明】
【００４１】
Ｐ…点灯識別具本体                      Ｑ…送信器
Ｋ…手荷物（キャリーバッグ）            Ｓ１…第１スイッチボタン
Ｓ２…第２スイッチボタン                Ｓ３…第３スイッチボタン
１…受信器                              ２…フレキシブル基板
３…光源（発光ダイオード：ＬＥＤ）      ４…電源収容部
５…点灯パネル                          ５ａ，５ｂ，５ｃ，・・・…導光板        ６…制御部                              ７ａ，７ｂ…ベルト通し部
８…ロック機構                          ９…縛着具
１０…尾錠                              １１…施錠具（バックル）
１２…インサート部材                    １３…バックル本体
１３ａ…差込孔                          １４ａ，１４ｂ…弾性舌片
１５ａ，１５ｂ…係止部                  １６…ベルト
１７…ロック機構                        １８…保持枠部
【図１】
0003167823.tif 000003
【図２】
0003167823.tif 000004
【図３】
0003167823.tif 000005
【図４】
0003167823.tif 000006
【図５】
0003167823.tif 000007
【手続補正書】
【提出日】平成23年3月9日(2011.3.9)
【手続補正１】
【補正対象書類名】明細書
【補正対象項目名】００３２
【補正方法】変更
【補正の内容】
【００３２】
点灯識別具本体Ｐの背面における左右対称位置には略コ字枠状に突出形成したベルト通し部７ａ，７ｂが付設され、これらベルト通し部７ａ，７ｂにループ状のベルト１６が挿通されることで、ベルト１６に付設されるようにしてある。このベルト１６の一箇所は例えば長短調整を可能として固定する尾錠１０によって解放可能となっており、図４に示すように、ベルト１６を手荷物Ｋの周囲に巻き込んでから手荷物Ｋの大きさに対応して適宜長さに調整して尾錠１０で固定されるようにしてある。また、ベルト１６における尾錠１０にロック機構を、あるいは尾錠の外にロック機構を備えたバックルを設けても良く、要はベルト自体が長短の調整で手荷物Ｋの大小に対応し、ロック施錠等が可能となっているのが良いのである。
【手続補正書】
【提出日】平成23年3月10日(2011.3.10)
【手続補正１】
【補正対象書類名】図面
【補正対象項目名】図１
【補正方法】変更
【補正の内容】
【図１】
0003167823.tif 000008
【手続補正２】
【補正対象書類名】図面
【補正対象項目名】図２
【補正方法】変更
【補正の内容】
【図２】
0003167823.tif 000009
【手続補正３】
【補正対象書類名】図面
【補正対象項目名】図４
【補正方法】変更
【補正の内容】
【図４】
0003167823.tif 000010
【手続補正４】
【補正対象書類名】図面
【補正対象項目名】図５
【補正方法】変更
【補正の内容】
【図５】
0003167823.tif 000011